(57)【要約】【課題】  塵等が本体内に不用意に入り難くし、手や指が不用意に本体内へ挿入するという虞を無くして、外観特定及び使い勝手を維持しながら安全性や信頼性を向上する。【解決手段】  リッド６を本体２の対応面に対し閉位置と開位置とに回動切り換えるリッド開閉装置において、リッド６を閉から開位置に至る途中位置まで付勢するための第１付勢手段１１と、  リッド６を開位置から途中位置まで付勢するための第２付勢手段１２と、リッド６及び本体２の一方に設けられたストライカ１４と、他方に設けられてリッド６の閉方向への押し操作によりストライカ１４を係止してリッドを閉位置に保ち、かつ、リッド６の同方向への押し操作により前記係止を解除可能なラッチ手段１５とを備えている。そして、リッド６を、閉から途中位置まで第１付勢手段１１の付勢により自動で回動し、途中位置から開位置へ第２付勢手段１２の付勢に抗し手動で回動するようにした。【選択図】        図５
2005247232.tif 000002
【特許請求の範囲】
【請求項１】
リッドを本体の対応面に対し該対応面を覆う閉位置と開放する開位置とに回動切り換えるリッド開閉装置において、
前記リッドを閉位置から開位置に至る途中位置まで付勢移動するための第１付勢手段と、  前記リッドを開位置から前記途中位置まで付勢移動するための第２付勢手段と、
前記リッド及び前記本体の一方に設けられたストライカと、他方に設けられて前記リッドの閉方向への押し操作により前記ストライカを係止して前記リッドを閉位置に保ち、かつ、前記リッドの同方向への押し操作により前記係止を解除可能なラッチ手段とを備え、
前記リッドを、前記閉位置から途中位置まで前記第１付勢手段の付勢力により自動で回動し、前記途中位置から開位置へ前記第２付勢手段の付勢力に抗して手動で回動することを特徴とするリッド開閉装置。
【請求項２】
前記ラッチ手段が前記本体に設けられ、前記ストライカが前記リッドに枢支されたアームに設けられていることを特徴とする請求項１に記載のリッド開閉装置。
【請求項３】
前記第１付勢手段が前記本体と前記アームとの間に介在されて、前記アームを前記リッドと一体的に途中位置から閉位置へ回動可能にしていることを特徴とする請求項２に記載のリッド開閉装置。
【請求項４】
前記リッドは、前記アームが前記本体に設けられたストッパ部に当接した状態で途中位置に保持され、前記アームに対し相対的に回動しながら途中位置から開位置へ切り換えられることを特徴とする請求項２又は３に記載のリッド開閉装置。
【請求項５】
本体が上向きの開口部を形成し、前記開口部をリッドにより開閉する小物入れ装置において、前記リッドが請求項１〜４の何れかに記載のリッド開閉装置により回動切り換えられると共に、前記途中位置で当該リッド先端と前記本体との間に少なくとも指掛け用として使用される隙間を形成することを特徴とする小物入れ装置。
【発明の詳細な説明】
【技術分野】
【０００１】
本発明は、リッドを本体の対応面（開口部以外に、スイッチ等の操作面等でもよい）に対し開位置と閉位置とに回動切り換えるリッド開閉装置及びそれを用いた小物入れ装置に関するものである。
【背景技術】
【０００２】
図７は車両用コンソール等に組み込まれる小物入れ装置例を示している。この小物入れ装置１は、本体２が収納用凹所３，４を左右に形成しており、各凹所３，４が対応するリッド５，６により開閉される。凹所３は、凹所４より一回り大きな格納空間を形成している。凹所４は、開口した受部７を底面側に形成し、図１等に示されるように該受部７にソケット部８が装着される。このソケット部８は、乗員が必要に応じリッド６を開閉して各種機器類の電源接続部として利用され、不使用時にリッド６で閉じられることで塵等の進入を防いで安全性を確保している。
【０００３】
以上の小物入れ装置１に採用されるリッド開閉装置は、通常、リッドが付勢手段により開方向へ付勢されており、該付勢手段の付勢力に抗して開位置から閉位置へ回動切り換えられ、該閉位置で本体及びリッドの一方に設けられたラッチ手段に対し他方に設けられたストライカを係止して閉状態に保持され、前記係止を解除操作することで前記付勢手段により閉位置から開位置へ自動的に回動切り換えられる。
【０００４】
また、前記ラッチ手段としては、使い勝手を良好にする上で、特許文献１に開示されているようにハートカムを利用したプッシュ・プッシュ機構が採用されている。この作動特徴は、リッドに対する閉方向への押し操作により前記ストライカを係止し、リッドに対する次の同方向への押し操作により前記係止を解除する係止機構である。
【特許文献１】特開２００１−１５１０２３号公報
【発明の開示】
【発明が解決しようとする課題】
【０００５】
上記した小物入れ装置１のうち、リッド６が従来のように閉方向への押し操作によりロック状態に係止され、次の押し操作により係止解除されて開位置へ回動切り換えられる態様だと次のようなことが問題となる。すなわち、この構造では、凹所４がリッド６の開位置で全開しているため塵や小物等が不用意に入ってソケット部８にショートしたり、子供等が手や指を差し込んでソケット部８にショートする虞もある。また、このような対策としては、リッド６を常に付勢手段の付勢力により閉位置の方向へ付勢しておくことも考えられる。しかし、その場合は、まず、リッド６を付勢力に抗して開方向へ回動操作する上で、操作用指掛け部をリッド上面や前端側に形成しなくてはならず、該指掛け部の存在により外観低下が避けられないこと、リッド６が常に閉じ方向へ付勢されていると、ソケット部８に電気接続したコード類のうち、凹所４への挿入部分が本体２とリッド６との間に強く挟み込まれて摩耗劣化し易くなる。
【０００６】
本発明の目的は、以上のような課題を簡易に解消して、塵等が本体内に不用意に入り難くしたり、手や指が不用意に本体内へ挿入するという虞を無くし、それにより外観特定及び使い勝手を維持して、安全性や信頼性を向上することにある。
【課題を解決するための手段】
【０００７】
請求項１の発明は、リッドを本体の対応面に対し該対応面を覆う閉位置と開放する開位置とに回動切り換えるリッド開閉装置において、前記リッドを閉位置から開位置に至る途中位置まで付勢移動するための第１付勢手段と、  前記リッドを開位置から前記途中位置まで付勢移動するための第２付勢手段と、前記リッド及び前記本体の一方に設けられたストライカと、他方に設けられて前記リッドの閉方向への押し操作により前記ストライカを係止して前記リッドを閉位置に保ち、かつ、前記リッドの同方向への押し操作により前記係止を解除可能なラッチ手段とを備え、前記リッドを、前記閉位置から途中位置まで前記第１付勢手段の付勢力により自動で回動し、前記途中位置から開位置へ前記第２付勢手段の付勢力に抗して手動で回動することを特徴としている。
また、請求項５の発明は、以上の発明を小物入れ装置に適用した態様であり、本体が上向きの開口部を形成し、前記開口部をリッドにより開閉する小物入れ装置において、前記リッドが請求項１〜４の何れかに記載のリッド開閉装置により回動切り換えられると共に、前記途中位置で当該リッド先端と前記本体との間に少なくとも指掛け用として使用される隙間を形成することを特徴としている。
【０００８】
以上の各発明では、リッドが本体に回動可能に枢支され、本体の対応面（例えば、開口部や操作部等）に対し第１付勢手段の付勢力に抗して覆う閉位置と、該閉位置より第１付勢手段の付勢力で開方向へ所定角だけ回動される途中位置と、該途中位置より第２付勢手段の付勢力に抗して回動される開位置（通常は全開位置を意味している）とに回動切り換えられる。そして、この構造では、リッドが閉位置から第１付勢手段の付勢力により途中位置に回動されると、リッド先端と本体側との間に所定大の隙間（通常は５〜１５ｍｍ程度の隙間）を形成する。該隙間は、使用者がリッドを途中位置から開位置へ回動操作する際に指掛け用として利用する以外に、実施例のごとく本体内のソケット部に電機接続したコード類を引き出すための引出用クリアランスとして利用される。また、この構造では、リッドが第２付勢手段の付勢力に抗して途中位置から開位置へ回動されるが、開位置でリッドに対する押力を解放すると、第２付勢手段の付勢力により再び途中位置まで自動的に回動されるため、実施例のごとく本体内のソケット部に対して塵等の進入の虞を極力無くしたり、手や指等を本体内に挿入して接触するというような虞を確実に解消できる。
【０００９】
以上の各発明は、請求項２〜４のように具体化することがより好ましい。すなわち、
・第１に、前記ラッチ手段が前記本体に設けられ、前記ストライカが前記リッドに枢支されたアームに設けられている構成である（請求項２）。
・第２に、前記第１付勢手段が前記本体と前記アームとの間に介在されて、前記アームを前記リッドと一体的に途中位置から閉位置へ回動可能にしている構成である（請求項３）。
・第３に、前記リッドは、前記アームが前記本体に設けられたストッパ部に当接した状態で途中位置に保持され、前記アームに対し相対的に回動しながら途中位置から開位置へ切り換えられる構成である（請求項３）。
【発明の効果】
【００１０】
上述したように、本発明にあっては次のような利点を具備できる。
・請求項１及び４の各発明では、リッドが閉位置と、途中位置と、開位置とに回動切り換えられることと、リッドが第１付勢手段の付勢力により閉位置から途中位置まで切り換えられたり、リッドが第２付勢手段の付勢力に抗して途中位置から開位置へ切り換えられるため、課題に挙げたような問題を比較的簡易に解消して、本体内への塵等の進入を防止したり、手や指を不用意に本体内へ挿入するという虞を無くし、それにより、例えば本体内にソケット部等を付設するような場合に外観特性を維持して安全性等を向上できる。
・請求項２の発明では、例えば、リッド側にアームを介してストライカを付設することにより、部材同士の配置に規制され難くしたり、外観特性を維持できるようにする。
・請求項３の発明では、アームがリッドの途中位置でストッパ部と当接するため、リッドが途中位置で安定した状態で、かつ、第２付勢手段の付勢力に抗して開方向へ回動操作可能に保持される。
【発明を実施するための最良の形態】
【００１１】
本発明の最良な形態を図面の実施例を参照しながら説明する。なお、図１及び図２は小物入れ装置を示し、図１（ａ）は側面図、図１（ｂ）は図２（ａ）の略Ｂ−Ｂ線に沿った縦断面図、図２（ａ）は平面図、図２（ｂ）は図２（ａ）の略Ａ−Ａ線に沿った縦断面図である。図３は小物入れ装置を背面側から見た要部の模式外観図、図４はリッドの裏面側を各付勢手段等と共に示す模式外観図である。図５と図６はリッド開閉装置の作動図である。以下の説明では、小物入れ装置とリッド開閉装置及びその作動の順に詳述する。
【００１２】
（小物入れ装置）実施例の小物入れ装置１は、図７に示された車両用コンソールに組み込まれる小物入れ装置１とほぼ同じ形状のもので、本体２が左右に収納用凹所３，４を有し、各凹所３，４が対応するリッド５，６により開閉される。凹所３は、凹所４より一回り大きな格納空間を形成しており、回動式のリッド５により開閉される。このリッド５は、従来と同じく不図示の付勢手段により開方向へ付勢されており、該付勢手段の付勢力に抗して開位置から閉位置へ回動切り換えられ、該閉位置で本体２側に取り付けられたラッチ手段に対しリッド５側に付設されたストライカを係止して閉位置に保持され、前記係止を解除操作することで前記付勢手段により閉位置から開位置へ切り換えられる。これに対し、凹所４は、筒形の受部７を底面側に形成し、図１等に示されるように該受部７に電源接続用のソケット部８が装着され、又、凹所４が本発明のリッド開閉装置１０を適用したリッド６により開閉される。そして、ソケット部８は、必要に応じリッド６を開閉して各種機器類の電源接続部として利用される。
【００１３】
次に、以上の小物入れ装置１において、本発明のリッド開閉装置１０と関係する本体２及びリッド６の構成を説明する。本体２は、図１〜図３に示されるように、下両側に突設されている縦壁２１，２２と、凹所３と凹所４との各区画部の境界に突設されている中間縦壁２３と、中間縦壁２３から受部７側へ突設されている複数のストッパ部２４と、中間縦壁２３の下側からストッパ部２４と同方向へ突設されている略矩形枠状の取付枠２５と、下後側に突設されている対の支持壁２６，２６などを一体に有している。このうち、ストッパ部２４と取付枠２５とは、後述するアーム１３及びラッチ手段１５に対応した間隔が設定されている。各ストッパ部２４は、所定の勾配を持って突出された片状となっていて、下側の先端面がアーム１３に対する当接部に設定されている。取付枠２５には後述するラッチ手段１５が装着される。各支持壁２６には、同軸線上に設けられて後述するシャフト２９を回動自在に支持する軸孔と、段差状に形成されて後述するコイルスプリング１１，１２の他端１１ｂ，１２ｂを係止する係止部とが設けられている。なお、符号２７，２８はコンソール側への位置決め兼用の取付片である。
【００１４】
リッド６は、図４や図５に示されるように、アウタ部材３０にインナ部材３１を装着した構成である。インナ部材３１には、下後両側に突出されている支持部３２，３４と、支持部３２，３４に対応して突出されているばね受け３３，３６と、支持部３２と支持部３４との間に突出されている当接部３７とが設けられている。支持部３２は半円弧状をなし、軸孔３２ａを形成している。支持部３４は、支持部３２より大きな円弧状でかつその肉厚内に嵌合溝３５を形成し、又、軸孔３４ａを軸孔３２ａと同軸線上に形成している。嵌合溝３５は、後側と下側とが開口され、前側が閉じられている（図５を参照）。ばね受け３３，３４は、支持部３２及び支持部３４の対向している側面から略半筒状に突設され、対応するコイルスプリング１１，１２のばね巻部をインナ部材３１との間で保持する。なお、インナ部材３１の下前側は、図１に示されるように２箇所に取り付けられた緩衝材３８を有し、本体２の上面体対応部に緩衝材３８を介して当接するようになっている。
【００１５】
以上のリッド６は、本体２に対しシャフト２９が支持部３２の軸孔３２ａ、前記各支持壁２６，２６の軸孔、支持部３４の軸孔３４ａ、中間縦壁２３の上側に設けられた軸孔に挿通された状態で回動切換可能に枢支されるが、その際、次に述べるリッド開閉装置１０の各部材が対応箇所に組み付けられることになる。
【００１６】
（リッド開閉装置）実施例のリッド開閉装置１０は、リッド６を本体２の凹所４等に対し該凹所４を覆って塞ぐ閉位置と開放する開位置とに回動切り換えるものである。構成部材は、第１コイルスプリング１１及び第２コイルスプリング１２と、リッド６の支持部３４に枢支されるアーム１３及び該アーム１３に付設されたストライカ１４と、本体２側に付設されてストライカ１４と係脱するラッチ手段１５とを備えている。
【００１７】
このうち、第１コイルスプリング１１は、リッド６を閉位置から開位置に至る途中位置まで付勢移動するためのもので、両端１１ａ，１１ｂが比較的長く形成されている。第２コイルスプリング１２は、リッド６を開位置から前記途中位置まで付勢移動するためのもので、両端１２ａ，１２ｂが比較的長く形成されている。そして、第１コイルスプリング１１は、ばね受け３６にばね巻部を乗せた状態で軸孔３４ａへ向かうシャフト２９の軸回りに配置され、一端１２ａが対応支持壁２６の係止部に係止され、他端１２ｂがばね圧を発現しながら後述するアーム１３の係止部１３ｃに掛け止めされる（図５参照）。第２コイルスプリング１２は、ばね受け３３にばね巻部を乗せた状態で軸孔３２ａを貫通しくるシャフト２９の軸回りに配置されて、一端１２ａがリッド６の下面側に係止され、他端１１ｂがばね圧を発現しながら対応支持壁２６の係止部に掛け止めされる。
【００１８】
アーム１３は、図３及び図５に示されるように上下に細長い片状をなし、上部に設けられた軸孔１３ａと、下端１３ｂの少し上に位置した側面部に突設されたスイライカ１４と、正面のうち上下略中間に位置した箇所に突設されている係止部１３ｃとを一体に形成している。また、板厚的には、係止部１３ｃより上側が支持部３４の嵌合溝３５に余裕を持って入り込む薄肉板状に形成され、それよりも板側が相対的に厚肉板状に形成されている。ストライカ１４は軸の先端に係合突起１４ａを形成している。そして、このアーム１３は、リッド６が本体２にシャフト２９を介し取り付けられるときに、上側を支持部３４の嵌合溝３５に挿入し、軸孔１３ａを支持部３４の軸孔３４ａに一致させた状態から、シャフト２９を支持部３４の内側軸孔３４ａ、軸孔１３ａ、支持部３４の外側軸孔３４ａへ挿通操作する。その後、第１コイルスプリング１１は前述した通り、一端１１ａが対応支持壁２６の係止部に係止され、他端１１ｂがばね圧を発現しながらアーム１３の係止部１３ｃに掛け止めされる。すると、アーム１３は、第１コイルスプリング１１の付勢力により前方へ回動されて、上側が嵌合溝３５に最大まで入り込み、下前方側がストッパ部２４に当接して回動を規制する。
【００１９】
ラッチ手段１５は、図５及び図６に示されるように本体２の取付枠２５に挿入保持されて、リッド６の閉方向への押し操作によりストライカ１４を係止してリッド６を閉位置に保持し、かつ、リッド６の同方向への押し操作により前記係止を解除可能なプッシュ・プッシュ係止機構である。この構造は、例えば、前後面を開口したケース４０、ケース４０に収容されて、ストライカ１４の係合突起１４ａを係脱する対の係止片４１を有する摺動体４２、摺動体４２を一方向に付勢する不図示のスプリング、摺動体４２に設けられたハートカム溝４３、ケース４０内に軸支されたトレーサ４４、トレーサ４４に突設されてハートカム溝４３と係合し摺動体４２の摺動によりハートカム溝４３を一巡するピン４５等を有している。そして、ラッチ手段１５は、ケース４０が取付枠２５に対し挿入状態で両側の弾性係合部４０ａを介して抜け止め装着される。但し、ラッチ手段１５は、この構造のもの限られず、例えば、特許文献１に開示のプッシュ・プッシュ機構でも差し支えない。
【００２０】
（作動）以上のリッド開閉装置１０では、本体２に対しリッド６を次のような操作により閉位置、途中位置、開位置とに切り換える。
ア）、図１の実線及び図５は、リッド６が図６の実線で示される途中位置から閉方向への押し操作により回動されて、ラッチ手段１５にストライカ１４を係止した閉位置を示している。すなわち、この場合には、リッド６が閉方向へ押されて回動されると、係合突起１４ａが摺動体４２に突き当たり、不図示のスプリングの付勢力に抗して摺動体４２をケース４０の奥へ摺動する。これと連動して、両係止片４１はケース４０内に引き込まれつつ係合突起１４ａを間に挟み込む。同時に、ピン４５とハートカム溝４３との係合によって係止片４１が後退位置で係止される。この結果、リッド６は、第１コイルスプリング１１の付勢力に抗して閉位置に保持される。
【００２１】
イ）、リッド６を開位置にするには、まず、リッド６を途中位置に回動切り換える。この場合には、リッド６を更に閉方向へ押した後、リッド６への押し力を解放する。すると、ラッチ手段１５は、リッド６の閉方向への押し操作によりじピン４５とハートカム溝４３との係合が外れ、同時に摺動体４２が不図示のスプリングの付勢力により押されて、両係止片４１をケース４０の前方へ大きく突出する。この結果、係合突起１４ａは、両係止片４１による挟み込みから外れて係止状態が解除される。このため、リッド６は、第１コイルスプリング１１の付勢力により閉位置から開方向へ回動されて、アーム１３がストッパ部２４に当接した状態、つまり途中位置に自動で切り換えられる。この途中位置では、リッド６の先端側と本体２の上面との間に所定の隙間を形成する。該隙間は、指掛け用として好適な５〜１５ｍｍ程度に設定されている。
【００２２】
ウ）、リッド６を途中位置から開位置にする場合は、図６の実線に示される前記した隙間に指等を引っ掛け、第２コイルスプリング１２の付勢力に抗してリッド６を想像線で示す開方向へ押しなから回動操作する。この形態では、リッド６が開方向へ回動されて、上記した当接部３７が支持壁２６，２６の対応部に当接した段階でリッド６の全開位置となる。すなわち、支持壁２６，２６はリッド６の開方向へのストッパとしても機能する。使用者は、リッド６を開位置に切り換えた状態で、凹所４内のソケット部８へ各種機器類の接続部を接続操作することになる。また、リッド６は、開方向への押し力が解放されると、第２コイルスプリング１２の付勢力により途中位置まで回動される。このため、ソケット部８を使用している間は、リッド６が途中位置に保持されており、例えば、前記したリッド６の先端側と本体２の上面との間に形成される隙間から各種機器類のコート類を凹所４の内外へ配置することができる。
【００２３】
以上のように、本発明のリッド開閉装置及びそれを適用した小物入れ装置は、課題に挙げたような問題を一掃して塵等が本体内に不用意に入り難くしたり、子供等が手や指を不用意に本体内へ進入するという虞を確実に無くすことができる。勿論、本発明は、上記した実施例に何ら制約されるものではなく、各手段の細部については種々変更可能なものである。一例としては、各コイルスプリング１１，１２を板ばねやトーションばねにて構成したり、ストライカ１４を本体２側に設けると共にラッチ手段１５をリッド６側に付設することである。
【図面の簡単な説明】
【００２４】
【図１】発明実施例の小物入れ装置を一側から見た側面図と模式断面図である。
【図２】図１の小物入れ装置の上面と模式断面図である。
【図３】図１の小物入れ装置を背面側より見た要部の模式外観図である。
【図４】図１のリッドと各付勢手段等との関係を示す図である。
【図５】上記小物入れ装置をリッドの閉位置で示す模式構成図である。
【図６】上記小物入れ装置をリッドの途中位置で示す模式構成図である。
【図７】本発明の開発動機となった小物入れ装置を示す模式外観図である。
【符号の説明】
【００２５】
１…小物入れ装置
２…本体（３，４は凹所、７は受部）
５，６…リッド
１０…リッド開閉装置
１１…第１コイルスプリング（第１付勢手段で、１１ａ，１１ｂは両端部）
１２…第２コイルスプリング（第２付勢手段で、１２ａ，１２ｂは両端部）
１３…アーム
１４…ストライカ
１５…ラッチ手段（プッシュ・プッシュ係止機構）
２４…ストッパ部
【図１】
2005247232.tif 000003
【図２】
2005247232.tif 000004
【図３】
2005247232.tif 000005
【図４】
2005247232.tif 000006
【図５】
2005247232.tif 000007
【図６】
2005247232.tif 000008
【図７】
2005247232.tif 000009